(57)【特許請求の範囲】
【請求項１】
シリンダブロックがバルブプレートと摺接しながら回転するアキシャルピストンモータにおいて、シリンダブロックとバルブプレートとの摺動面にシール領域となるランド部を設け、このランド部の外側に逃がし溝を介して環状の補助パット部を設け、バルブプレートの摺動面と反対側のモータハウジングとの接合面に前記補助パット部に対応した部位に間隙を形成し、前記間隙の間隔がバルブプレート外周にいくほど大きくなっていることを特徴とするアキシャルピストンモータ。
【発明の詳細な説明】
【０００１】
【発明の属する技術分野】
本発明はアキシャルピストンモータの改良に関する。
【０００２】
【従来の技術】
従来のアキシャルピストンモータにあって、シリンダブロックとバルブプレートとの摺動面の押付力は、ポート周囲のランド部のみで受けている。押付力は摺動面のシール性に大きな影響を及ぼし、押付力を小さくするとポート周囲のシール性が低下し、容積効率不良等の不具合が発生する。
【０００３】
これに対して押付力を高めればシール性は改善される反面、摺動面の摩擦熱によりサーマルクラック（熱亀裂）が生じやすくなり、耐久性が低下する。とくに、近年アキシャルピストンモータの高回転化の要求を満たそうとすると、摺動面の速度増加に伴うサーマルクラックの発生が避けられなくなる。
【０００４】
【発明が解決しようとする課題】
そこで、シリンダブロックとバルブプレートとの外周寄りの摺動面に補助パット部を設け、押付比（シリンダ圧力と押付力との比）を有効な値に保ちながら、実面圧を下げることが考えられる。しかし、この場合、摺動面の平滑精度が低いと、摺動面の全域で均等に接触せず、とくに補助パット部のみが摺動接触すると、補助パット部の面圧が過度に高まると共にランド部に隙間が生じ、ポート周囲のシール性が保てずに容積効率の低下やドレンピークなどの問題を起こしたりする。
【０００５】
本発明はこのような問題を解決することを目的とする。
【０００６】
【課題を解決するための手段】
本発明は、シリンダブロックがバルブプレートと摺接しながら回転するアキシャルピストンモータにおいて、シリンダブロックとバルブプレートとの摺動面にシール領域となるランド部を設け、このランド部の外側に逃がし溝を介して環状の補助パット部を設け、バルブプレートの摺動面と反対側のモータハウジングとの接合面に前記補助パット部に対応した部位に間隙を形成し、前記間隙の間隔がバルブプレート外周にいくほど大きくなっている。
【０００９】
【作用】
本発明において、シリンダブロックとバルブプレートとの間にはランド部に加えて、その外側において補助パット部が介在する。このため、シリンダブロックの押付力はランド部と補助パット部とで受け、ランド部の実面圧を下げることができる。補助パット部と対応してバルブプレートの反対面には隙間が設けられているので、補助パット部に過度の面圧が作用したときには、バルブプレートが反対側に変形し、これにより補助パット部の面圧をランド部にかかる面圧とほぼ同一に保つことができる。したがって、ランド部のシール性は良好に維持したまま、摺動面全体としては過度に面圧が高まるのを防止し、ヒートクラックなどの発生を阻止し、その耐久性を向上させられる。また、間隙はバルブプレートの外周側ほど大きくなるので、必要最小限の間隙によって、バルブプレートに良好な追従変形性能を付与することができる。
【００１２】
【発明の実施の形態】
図面に基づいて本発明の最良の実施形態を説明する。
【００１３】
図１、図２において、１はモータハウジング、２はモータシャフト、３はシリンダブロック、４は斜板である。シリンダブロック３にはモータシャフト２と同心円上に複数のシリンダ７が形成され、ここにピストン５が摺動自由に配設される。シリンダブロック３の端面はバルブプレート６に接触し、バルブプレート６に形成したバルブ孔（供給孔と排出孔）からシリンダ７への圧油の供給と排出が行われる。つまり、バルブプレート６の供給孔からのシリンダ７に対する圧油の供給により、ピストン５が伸びだし、このとき斜板４の傾斜角によって生じる円周方向への分力により、シリンダブロック３に回転力が発生し、モータシャフト２を回転させる。ピストン５が最大にストロークした後はバルブプレート６の排出孔からシリンダ７内の作動油を排出させながらピストン５が収縮し、このようにして、ピストン５が１往復する間にシリンダブロック３が１回転する。
【００１４】
シリンダブロック３とバルブプレート６との摺接面には、各シリンダ７のポート８の周囲をシールするランド部１０が形成され、このランド部１０において摺接面からの圧油の漏れを防いでいる。ランド部１０の外周には環状の逃がし溝１１が形成され、この逃がし溝１１に接続した放射方向に伸びる複数の溝１１ａを介して漏れ出した油をハウンジング内部空間９に逃がしている。逃がし溝１１の外側に位置して補助パット部１２が形成され、この補助パット部１２においても、シリンダブロック３にかかる押付力を受ける。
【００１５】
バルブプレート６の摺接面の反対面はモータハウンジング１に対して密着し、回転しないようにピン１３で固定される。モータハウンジング１に設けた図示しない圧油の給排通路とバルブプレート６のバルブ孔とが接続するが、この密着面６ｂには圧油の漏れを防ぐためのシール領域１５が設けられ、このシール領域１５の外側には環状の逃がし溝１４が設けられ、前記と同じく漏れ分についてはこの逃がし溝１４を介して内部空間９に逃がしている。
【００１６】
前記逃がし溝１１と逃がし溝１４とはほぼ対応する位置に設けられ、そして、バルブプレート６とモータハウンジング１との間には、この逃がし溝１４の外側において、バルブプレート６の摺接面と反対方向への変形を許容する間隙１６が設けられる。この間隙１６は断面がテーパ状に形成され、外周にいくほど隙間が大きくなる。
【００１７】
なお、ランド部１０と補助パット部１２は、シリンダブロック３の底面に所定の厚さの軸受材料からなる摺動層１７を一体に付着形成するなどして、良好な摺動特性をもつ摺動面を形成する。
【００１８】
以上のように構成され、次に作用について説明する。
【００１９】
シリンダブロック３の各シリンダ７に対し、バルブプレート６のバルブ孔を通してピストン５が下死点から上死点までの伸長領域における圧油の供給により、ピストン５が上死点に向けてストロークし、このときピストン５の先端が接触する斜板４の傾斜角に応じて発生する円周方向の分力により、シリンダブロック３に回転力を発生させる。ピストン５が上死点に達した後は、シリンダブロック３の同一方向への回転に伴いシリンダ７から作動油を排出しながら、ピストン５は下死点に向けて収縮し、このようにして次々とピストン５が往復運動し、これに応じてシリンダブロック３が回転し、モータシャフト２を回転させる。
【００２０】
シリンダブロック３とバルブプレート６との摺接面には、ピストン５を押し出す油圧の反力と、シリンダブロック３からのバルブプレート６の押付力とが相反方向に作用し、これらの差力に相当する押付比に応じて摺接面のシール性を保持している。
【００２１】
摺接面はシール領域としてのランド部１０と補助パット部１２とから構成され、ランド部１０だけに比較して有効受圧面積が大きいため、前記押付比を所定値となるように設定したときのランド部１０にかかる面圧は相対的に低下する。
【００２２】
このとき摺接面の精度から補助パット部１２に過度の面圧が作用しても、バルブプレート６の裏面側には間隙１６があるため、バルブプレート６が反対側へ変形し、面圧を低下させる。このため、補助パット部１２にのみ過大な圧力が作用することがなく、摺接面の全域で均一的な接触圧力が維持される。なお、予めランド部１０よりも補助パット部１２の厚さを大きく設定し、補助パット部１２での当たりについては反対側への変形により吸収すると、確実にランド部１０の面圧を補助パット部１２よりも小さくできる。
【００２３】
この結果、シリンダブロック３とバルブプレート６との摺接面の実質的な面圧が下がり、摺動に伴う摩擦熱が大きくなるのを防いでサーマルクラックの発生を回避し、モータ回転数の増大に対しても高い耐久性を維持できる。また一方で、摺接面の面圧は下がっても、ランド部１０のシール性が低下することはなく、このため容積効率の悪化やドレンピークなどの発生を防ぐことができ、良好なポンプ性能を維持できる。
【００２４】
また、間隙１６はバルブプレート６の外周にいくほど隙間が大きくなるので、バルブプレート６の変形は容易かつ適切に行われる。
【００２５】
次に、図３の参考例を説明すると、これはシリンダブロック３とバルブプレート６との間の間隙として、全域で同一間隔となる均一な間隙１６ａを設けたものである。このようにすると、間隙１６ａの形成が容易となり、バルブプレート６の加工性が改善される。
【００２６】
なお、上記の実施の形態では、シリンダブロック３とバルブプレート６との摺接面は球面状に形成されているが、これに限らず、平面接触するものであってもよいことは明らかである。
【図面の簡単な説明】
【図１】本発明の実施の形態を示す全体的な断面図である。
【図２】同じく要部を示す拡大断面図である。
【図３】本発明の参考例を示す拡大断面図である。
【符号の説明】
１ モータハウジング
２ モータシャフト
３ シリンダブロック
５ ピストン
６ バルブプレート
７ シリンダ
１０ ランド部
１１ 逃がし溝
１２ 補助パット部
１４ 逃がし溝
１６ 間隙
【図１】
0003771004.tif 000002
【図２】
0003771004.tif 000003
【図３】
0003771004.tif 000004